(57)【要約】【課題】コードレス電話子機からの操作のみであらゆるサイトのＷｅｂ情報が得られるコードレス電話ＣＴＩシステムを提供することを目的とする。【解決手段】コンピュータ１００は、受信データからテキストデータのみを取り出す文字情報検出部１０２と、テキスト−音声変換部１０３と、記憶部１０４と、親機１１０との通信を司るＵＳＢドライバ１０５と、文字情報検出部等の制御を行うＣＴＩ制御部１０６とを有し、親機は、コンピュータとの通信を司るＵＳＢドライバ１１２と、子機１２０との通信を司る無線部１１１と、ＵＳＢドライバ等の制御を行うＣＴＩ制御部１１３とを有し、子機は、親機との通信を司る無線部１２１と、ＬＣＤ表示部１２２と、スピーカ１２３と、無線部等の制御を行うＣＴＩ制御部１２４とを有し、コンピュータは、子機からアクセスしたとき、受信Ｗｅｂ情報のうちのテキストデータのみを子機に出力する。【選択図】　図１
2004056329.tif 000002
【特許請求の範囲】
【請求項１】
コンピュータとコードレス電話親機とコードレス電話子機とを有するコードレス電話ＣＴＩシステムであって、
前記コンピュータは、ＷＷＷブラウザが受信するデータからテキストデータのみを取り出す文字情報検出部と、テキストデータを音声データに変換するテキスト−音声変換部と、音声データを保存する記憶部と、前記コードレス電話親機との通信を司るＵＳＢドライバと、前記ＷＷＷブラウザ、前記文字情報検出部、前記テキスト−音声変換部、前記記憶部、前記ＵＳＢドライバの制御を行うＣＴＩ制御部とを有し、
コードレス電話親機は、前記コンピュータとの通信を司るＵＳＢドライバと、前記コードレス電話子機との通信を司る無線部と、前記ＵＳＢドライバ、前記無線部の制御を行うＣＴＩ制御部とを有し、
前記コードレス電話子機は、前記コードレス電話親機との通信を司る無線部と、ＬＣＤ表示部と、スピーカと、前記無線部、前記ＬＣＤ表示部、前記スピーカの制御を行うＣＴＩ制御部とを有し、
前記コンピュータは、前記コードレス電話子機から前記ＷＷＷブラウザをアクセスしたとき、ネットワークから受信したＷｅｂ情報のうちのテキストデータのみを前記コードレス電話子機に出力し、前記コードレス電話子機は前記出力したテキストデータを前記ＬＣＤ表示部に表示することを特徴とするコードレス電話ＣＴＩシステム。
【請求項２】
前記コンピュータは、前記コードレス電話子機からテキストデータから変換された音声データの要求があったとき、前記要求があった音声データを前記コードレス電話子機に出力し、前記コードレス電話子機は前記出力した音声データを前記スピーカから送出することを特徴とする請求項１に記載のコードレス電話ＣＴＩシステム。
【請求項３】
前記コンピュータはＷｅｂアドレスを格納するＷｅｂアドレスデータベースを備え、前記コードレス電話子機はＷｅｂアドレスのリストを保存する記憶部を備え、前記コンピュータは、前記コードレス電話子機から前記ＷｅｂアドレスデータベースにあるＷｅｂアドレス一覧の要求があったとき、前記コードレス電話親機を介して前記コードレス電話子機に出力し、前記コードレス電話子機は前記ＬＣＤ表示部に前記Ｗｅｂアドレス一覧を表示することを特徴とする請求項１に記載のコードレス電話ＣＴＩシステム。
【請求項４】
コンピュータと無線カードとコードレス電話親機とコードレス電話子機とを有するコードレス電話ＣＴＩシステムであって、
前記コンピュータは、ＷＷＷブラウザが受信するデータからテキストデータのみを取り出す文字情報検出部と、テキストデータを音声データに変換するテキスト−音声変換部と、音声データを保存する記憶部と、前記無線カードとの通信を司る無線カードドライバと、前記ＷＷＷブラウザ、前記文字情報検出部、前記テキスト−音声変換部、前記記憶部、前記無線カードドライバの制御を行うＣＴＩ制御部とを有し、
コードレス電話親機は、前記コードレス電話子機および前記無線カードとの通信を司る無線部と、前記無線部の制御を行うＣＴＩ制御部とを有し、
前記コードレス電話子機は、前記コードレス電話親機との通信を司る無線部と、ＬＣＤ表示部と、スピーカと、前記無線部、前記ＬＣＤ表示部、前記スピーカの制御を行うＣＴＩ制御部とを有し、
前記無線カードは、前記コンピュータとの通信を司るインタフェース部と、前記コードレス電話親機との通信を司る無線部と、前記インタフェース部、前記無線部の制御を行う中央制御部とを有することを特徴とするコードレス電話ＣＴＩシステム。
【発明の詳細な説明】
【０００１】
【発明の属する技術分野】
本発明は、コンピュータ、コードレス電話親機、コードレス電話子機等を有するコードレス電話ＣＴＩシステムに関するものである。
【０００２】
【従来の技術】
図８は、ＷＷＷブラウザ機能を有する従来のコードレス電話親機８００を示すブロック図である。従来のコードレス電話親機８００においては、その親機８００内にブラウザ機能を有することによって、Ｗｅｂ情報（ウェブ情報）を閲覧することが可能である。
【０００３】
図８において、コードレス電話親機８００は、局線とのインタフェースを司る回線制御部８０１と、Ｗｅｂ情報を処理するブラウザ処理部８０２と、コードレス電話親機８００が持つＬＣＤにＷｅｂ情報を表示させるＬＣＤ表示部８０３と、特定のＷｅｂアドレスを記憶しておくＷｅｂアドレスデータベース８０４と、Ｗｅｂアドレスデータベース８０４よりアドレスを決定するＷｅｂアドレス選択部８０５と、回線制御部８０１、ブラウザ処理部８０２、ＬＣＤ表示部８０３、Ｗｅｂアドレスデータベース８０４、Ｗｅｂアドレス選択部８０５の制御を行う中央制御部８０６とにより構成される。
【０００４】
上記のように構成されたコードレス電話親機８００について、Ｗｅｂ情報を閲覧する動作を説明する。
【０００５】
コードレス電話親機８００が持つＬＣＤはコンピュータに比べて小さいため、インターネット網（プロバイダ）側で小さな画面でも見ることができるような情報量の少ないサイトをいくつか提供しており、それらサイトのアドレスをＷｅｂアドレスデータベース８０４に格納している。ユーザよりＷｅｂ情報の閲覧の要求があると、Ｗｅｂアドレス選択部８０５は、Ｗｅｂアドレスデータベース８０４からＬＣＤ表示部８０３を介してＷｅｂアドレスのリストを画面に表示し、ユーザに選択させる。Ｗｅｂアドレスが選択されると、ブラウザ処理部８０２、回線制御部８０１を介してインターネット網へＷｅｂ情報取得要求が出力され、回線制御部８０１を介してＷｅｂ情報が得られる。回線制御部８０１を介して得たＷｅｂ情報をブラウザ処理部８０２でＬＣＤ表示形式に変換し、ＬＣＤ表示部８０３を介して画面に表示する。これにより、Ｗｅｂ情報を閲覧することが可能となる。
【０００６】
【発明が解決しようとする課題】
しかしながら、上記従来のコードレス電話親機では、インターネットの特定のサイトにアクセスして閲覧できるものの、すべてのサイトのＷｅｂ情報を閲覧することは不可能である（つまり、ＬＣＤが小さいため、プロバイダが閲覧できるサイトを限定しており、そのために、すべてのサイトへアクセスするということはできない）という問題点を有していた。また、閲覧できるページであっても、画面が小さいために内容が見にくかったり、読みにくかったりする場合もあるという問題点を有していた。また、電話する場合、コードレス電話であるため、親機のあるところまで移動しなくても、子機から電話することが可能になっているにもかかわらず、Ｗｅｂ情報の閲覧する場合は、親機での操作を必要とするため、移動による面倒はどうしても避けられないという問題点を有していた。
【０００７】
このコードレス電話ＣＴＩシステムでは、コードレス電話子機からの操作のみであらゆるサイトのＷｅｂ情報を得ることができることが要求されている。
【０００８】
本発明は、この要求を満たすため、コードレス電話子機からの操作のみであらゆるサイトのＷｅｂ情報を得ることができるコードレス電話ＣＴＩシステムを提供することを目的とする。
【０００９】
【課題を解決するための手段】
この課題を解決するために本発明のコードレス電話ＣＴＩシステムは、コンピュータとコードレス電話親機とコードレス電話子機とを有するコードレス電話ＣＴＩシステムであって、コンピュータは、ＷＷＷブラウザが受信するデータからテキストデータのみを取り出す文字情報検出部と、テキストデータを音声データに変換するテキスト−音声変換部と、音声データを保存する記憶部と、コードレス電話親機との通信を司るＵＳＢドライバと、ＷＷＷブラウザ、文字情報検出部、テキスト−音声変換部、記憶部、ＵＳＢドライバの制御を行うＣＴＩ制御部とを有し、コードレス電話親機は、コンピュータとの通信を司るＵＳＢドライバと、コードレス電話子機との通信を司る無線部と、ＵＳＢドライバ、無線部の制御を行うＣＴＩ制御部とを有し、コードレス電話子機は、コードレス電話親機との通信を司る無線部と、ＬＣＤ表示部と、スピーカと、無線部、ＬＣＤ表示部、スピーカの制御を行うＣＴＩ制御部とを有し、コンピュータは、コードレス電話子機からＷＷＷブラウザをアクセスしたとき、ネットワークから受信したＷｅｂ情報のうちのテキストデータのみをコードレス電話子機に出力し、コードレス電話子機は出力したテキストデータをＬＣＤ表示部に表示する構成を備えている。
【００１０】
これにより、コードレス電話子機からの操作のみであらゆるサイトのＷｅｂ情報を得ることができるコードレス電話ＣＴＩシステムが得られる。
【００１１】
【発明の実施の形態】
本発明の請求項１に記載のコードレス電話ＣＴＩシステムは、コンピュータとコードレス電話親機とコードレス電話子機とを有するコードレス電話ＣＴＩシステムであって、コンピュータは、ＷＷＷブラウザが受信するデータからテキストデータのみを取り出す文字情報検出部と、テキストデータを音声データに変換するテキスト−音声変換部と、音声データを保存する記憶部と、コードレス電話親機との通信を司るＵＳＢドライバと、ＷＷＷブラウザ、文字情報検出部、テキスト−音声変換部、記憶部、ＵＳＢドライバの制御を行うＣＴＩ制御部とを有し、コードレス電話親機は、コンピュータとの通信を司るＵＳＢドライバと、コードレス電話子機との通信を司る無線部と、ＵＳＢドライバ、無線部の制御を行うＣＴＩ制御部とを有し、コードレス電話子機は、コードレス電話親機との通信を司る無線部と、ＬＣＤ表示部と、スピーカと、無線部、ＬＣＤ表示部、スピーカの制御を行うＣＴＩ制御部とを有し、コンピュータは、コードレス電話子機からＷＷＷブラウザをアクセスしたとき、ネットワークから受信したＷｅｂ情報のうちのテキストデータのみをコードレス電話子機に出力し、コードレス電話子機は出力したテキストデータをＬＣＤ表示部に表示することとしたものである。
【００１２】
この構成により、コードレス電話子機からコンピュータのＷＷＷブラウザをアクセスさえすれば、コードレス電話子機は必要なＷｅｂ情報のテキストデータを得て表示部に表示することができるので、コードレス電話子機からの操作だけでより多くのサイトのＷｅｂ情報を閲覧することができるという作用を有する。
【００１３】
請求項２に記載のコードレス電話ＣＴＩシステムは、請求項１に記載のコードレス電話ＣＴＩシステムにおいて、コンピュータは、コードレス電話子機からテキストデータから変換された音声データの要求があったとき、要求があった音声データをコードレス電話子機に出力し、コードレス電話子機は出力した音声データをスピーカから送出することとしたものである。
【００１４】
この構成により、テキストデータから変換された音声データをコードレス電話子機から要求さえすれば、コードレス電話子機は必要なＷｅｂ情報の音声データを得ることができるので、画面では見にくいテキストデータの場合には音声データとしてスピーカから聞くことができるので、コードレス電話子機からの操作だけでより多くのサイトのＷｅｂ情報を聞くことができるという作用を有する。
【００１５】
請求項３に記載のコードレス電話ＣＴＩシステムは、請求項１に記載のコードレス電話ＣＴＩシステムにおいて、コンピュータはＷｅｂアドレスを格納するＷｅｂアドレスデータベースを備え、コードレス電話子機はＷｅｂアドレスのリストを保存する記憶部を備え、コンピュータは、コードレス電話子機からＷｅｂアドレスデータベースにあるＷｅｂアドレス一覧の要求があったとき、コードレス電話親機を介してコードレス電話子機に出力し、コードレス電話子機はＬＣＤ表示部にＷｅｂアドレス一覧を表示することとしたものである。
【００１６】
この構成により、ユーザ自身が以前に閲覧、登録したサイトのＷｅｂ情報だけでなく、他者がパソコンや他のコードレス電話子機で閲覧、登録したサイトのＷｅｂ情報も簡単に文字や音声で取得することができるという作用を有する。
【００１７】
請求項４に記載のコードレス電話ＣＴＩシステムは、コンピュータと無線カードとコードレス電話親機とコードレス電話子機とを有するコードレス電話ＣＴＩシステムであって、コンピュータは、ＷＷＷブラウザが受信するデータからテキストデータのみを取り出す文字情報検出部と、テキストデータを音声データに変換するテキスト−音声変換部と、音声データを保存する記憶部と、無線カードとの通信を司る無線カードドライバと、ＷＷＷブラウザ、文字情報検出部、テキスト−音声変換部、記憶部、無線カードドライバの制御を行うＣＴＩ制御部とを有し、コードレス電話親機は、コードレス電話子機および無線カードとの通信を司る無線部と、無線部の制御を行うＣＴＩ制御部とを有し、コードレス電話子機は、コードレス電話親機との通信を司る無線部と、ＬＣＤ表示部と、スピーカと、無線部、ＬＣＤ表示部、スピーカの制御を行うＣＴＩ制御部とを有し、無線カードは、コンピュータとの通信を司るインタフェース部と、コードレス電話親機との通信を司る無線部と、インタフェース部、無線部の制御を行う中央制御部とを有することとしたものである。
【００１８】
この構成により、コードレス電話子機とコンピュータとをワイヤレスに接続して、コードレス電話親機を介さずに、コードレス電話子機からのＷｅｂ情報の閲覧を行うことができるので、コンピュータがモバイルコンピュータとして動作するなど、コンピュータとコードレス電話親機との有線接続が困難である場合にも、無線カードをコンピュータに装着することによりＣＴＩ機能を容易に実現することができるという作用を有する。
【００１９】
以下、本発明の実施の形態について、図１〜図７を用いて説明する。
【００２０】
（実施の形態１）
図１は、本発明の実施の形態１によるコードレス電話ＣＴＩシステムを示すブロック図である。
【００２１】
図１において、１００はコードレス電話ＣＴＩシステムを構成するコンピュータ、１１０は同じくコードレス電話ＣＴＩシステムを構成するコードレス電話親機、１２０は同じくコードレス電話ＣＴＩシステムを構成するコードレス電話子機である。コンピュータ１００において、１０１はＷＷＷブラウザ、１０２はＷＷＷブラウザ１０１が受信するＷｅｂ情報からテキストデータのみを取り出す文字情報検出部、１０３はテキストデータを音声データに変換するテキスト−音声変換部、１０４は音声データを保存する記憶部、１０５はコードレス電話親機１１０との通信を司るＵＳＢドライバ、１０６はＷＷＷブラウザ１０１、文字情報検出部１０２、テキスト−音声変換部１０３、記憶部１０４、ＵＳＢドライバ１０５の制御を行うＣＴＩ制御部、１０７はインターネットとの通信を司るネットワークカードである。コードレス電話親機１１０において、１１１は子機１２０との通信を司る無線部、１１２はコンピュータ１００との通信を司るＵＳＢドライバ、１１３は無線部１１１、ＵＳＢドライバ１１２の制御を行うＣＴＩ制御部である。コードレス電話子機１２０において、１２１はコードレス電話親機１１０との通信を司る無線部、１２２はＷｅｂ上のテキストデータを表示するＬＣＤ表示部、１２３は音声データを再生するスピーカ、１２４は無線部１２１、ＬＣＤ表示部１２２、スピーカ１２３の制御を行うＣＴＩ制御部１２４である。
【００２２】
上記のように構成されたコードレス電話ＣＴＩシステムについて、その動作を図２を用いて説明する。図２は、コードレス電話子機１２０からＷｅｂ情報を閲覧する処理を示すフローチャートである。
【００２３】
コードレス電話子機１２０のキー操作によりＷｅｂアドレスを指定して発信すると（Ｓ２２１）、このＷｅｂアドレスは、無線部１２１、無線部１１１を介してコードレス電話親機１１０に通知される。
【００２４】
Ｗｅｂアドレスを受信したコードレス電話親機１１０のＣＴＩ制御部１１３は、ＵＳＢドライバ１１２を介して、コンピュータ１００にＷｅｂ発信要求を送信する（Ｓ２１１）。
【００２５】
コンピュータ１００のＣＴＩ制御部１０６は、ＷＷＷブラウザ１０１に対し指定のサイトへアクセスさせる（Ｓ２０１）。ネットワークカード１０７を介して受信するＷｅｂ情報から文字情報検出部１０２がテキストデータを検出し、ＵＳＢドライバ１０５を介してコードレス電話親機１１０へテキストデータを送信する（Ｓ２０２、２０３）。それと同時にテキスト−音声変換部１０３は、検出されたテキストデータを音声データに変換し、記憶部１０４にて保存する（Ｓ２０４）。
【００２６】
コードレス電話親機１１０は、無線部１１１を介して、受信したテキストデータをコードレス電話子機１２０にそのまま送信する（Ｓ２１２）。
【００２７】
テキストデータを受信したコードレス電話子機１２０は、ＬＣＤ表示部１２２により、テキストデータをＬＣＤ画面に表示する（Ｓ２２２）。テキストデータの受信が完了した後にキー操作があった場合、ＣＴＩ制御部１２４は、そのキー操作が音声データ取得要求を意味するものであることを確認すると、無線部１２１を介して、コードレス電話親機１１０に通知し、それと同時に通話パスを確立する（Ｓ２２３、２２４）。
【００２８】
コードレス電話親機１１０のＣＴＩ制御部１１３は、ＵＳＢドライバ１１２を介して、音声データ要求をコンピュータ１００に送信し（Ｓ２１３）、通話パスを確立する（Ｓ２１４）。
【００２９】
音声データ要求を受信したコンピュータ１００のＣＴＩ制御部１０６は、記憶部１０４に格納してある音声データを、ＵＳＢドライバ１０５を介して、コードレス電話親機１１０に送出する（Ｓ２０５、２０７）。
【００３０】
コードレス電話親機１１０のＣＴＩ制御部１１３は、ＵＳＢドライバ１１２上の音声データを通話パス上にのせ、コードレス電話子機へ送信する（Ｓ２１５）。
【００３１】
音声データを受信したコードレス電話子機１２０のＣＴＩ制御部１２４は、その音声データをスピーカ１２３において音声として再生させる（Ｓ２２５）。
【００３２】
以上のように本実施の形態によれば、コンピュータ１００とコードレス電話親機１１０とコードレス電話子機１２０とを有するコードレス電話ＣＴＩシステムであって、コンピュータ１００は、ＷＷＷブラウザ１０１が受信するデータからテキストデータのみを取り出す文字情報検出部１０２と、テキストデータを音声データに変換するテキスト−音声変換部１０３と、音声データを保存する記憶部１０４と、コードレス電話親機１１０との通信を司るＵＳＢドライバ１０５と、ＷＷＷブラウザ１０１、文字情報検出部１０２、テキスト−音声変換部１０３、記憶部１０４、ＵＳＢドライバ１０５の制御を行うＣＴＩ制御部１０６とを有し、コードレス電話親機１１０は、コンピュータ１００との通信を司るＵＳＢドライバ１１２と、コードレス電話子機１２０との通信を司る無線部１１１と、ＵＳＢドライバ１１２、無線部１１１の制御を行うＣＴＩ制御部１１３とを有し、コードレス電話子機１２０は、コードレス電話親機１１０との通信を司る無線部１２１と、ＬＣＤ表示部１２２と、スピーカ１２３と、無線部１２１、ＬＣＤ表示部１２２、スピーカ１２３の制御を行うＣＴＩ制御部１２４とを有し、コンピュータ１００は、コードレス電話子機１２０からＷＷＷブラウザ１０１をアクセスしたとき、ネットワークから受信したＷｅｂ情報のうちのテキストデータのみをコードレス電話子機１２０に出力し、コードレス電話子機１２０は出力したテキストデータをＬＣＤ表示部１２２に表示することにより、子機１２０からコンピュータ１００のＷＷＷブラウザ１０１をアクセスさえすれば、子機１２０は必要なＷｅｂ情報のテキストデータを得て表示部１２２に表示することができるので、子機１２０からの操作だけでより多くのサイトのＷｅｂ情報を閲覧することができる。
【００３３】
また、コンピュータ１００は、コードレス電話子機１２０からテキストデータから変換された音声データの要求があったとき、要求があった音声データをコードレス電話子機１２０に出力し、コードレス電話子機１２０は出力した音声データをスピーカ１２３から送出することにより、テキストデータから変換された音声データを子機１２０から要求さえすれば、子機１２０は必要なＷｅｂ情報の音声データを得ることができるので、画面では見にくいテキストデータの場合には音声データとしてスピーカ１２３から聞くことができるので、子機１２０からの操作だけでより多くのサイトのＷｅｂ情報を聞くことができる。
【００３４】
（実施の形態２）
図３は、本発明の実施の形態２によるコードレス電話ＣＴＩシステムを示すブロック図である。
【００３５】
図３において、コンピュータ１００、コードレス電話親機１１０、コードレス電話子機１２０、ＷＷＷブラウザ１０１、文字情報検出部１０２、テキスト−音声変換部１０３、記憶部１０４、ＵＳＢドライバ１０５、ＣＴＩ制御部１０６、ネットワークカード１０７、無線部１１１、ＵＳＢドライバ１１２、ＣＴＩ制御部１１３、無線部１２１、ＬＣＤ表示部１２２、スピーカ１２３、ＣＴＩ制御部１２４は図１と同様のものなので、同一符号を付し、説明は省略する。１０８は文字／音声データとして有効な情報を所有するウェブサイトのアドレスを保存するＷｅｂアドレスデータベース（以下単に、「データベース」とも言う）、１２５はアドレスリストを保存する記憶部である。
【００３６】
上記のように構成されたコードレス電話ＣＴＩシステムについて、その動作を図４を用いて説明する。図４は、コードレス電話子機１２０によるＷｅｂアドレスデータベース登録の処理を示すフローチャートである。
【００３７】
コードレス電話子機１２０から文字／音声でＷｅｂ情報を取得した際のキー操作において、ＣＴＩ制御部１２４が、現在情報取得中のウェブサイトのアドレスをデータベース１０８に保存する要求を意味するキー操作であることを確認すると（Ｓ４２１）、無線部１２１を介してコードレス電話親機１１０に通知する。
【００３８】
この通知を受けたコードレス電話親機１１０のＣＴＩ制御部１１３は、ＵＳＢドライバ１１２を介して、コンピュータ１００にアドレス登録要求を送信する（Ｓ４１１）。
【００３９】
この要求を受信したコンピュータ１００のＣＴＩ制御部１０６は、指定されたアドレスがすでにデータベース１０８に登録されているかどうかをチェックし（Ｓ４０１）、登録がある場合、データベース１０８内にアドレスと１対１に登録されているタイトルを、ＵＳＢドライバ１０５を介して、コードレス電話親機１１０に通知する（Ｓ４０２）。
【００４０】
コードレス電話親機１１０を介して登録済み通知を受信したコードレス電話子機１２０のＣＴＩ制御部１２４は、ＬＣＤ表示部１２２にタイトルを画面表示するように指示し、登録済みであることを知らせる（Ｓ４２２）。
【００４１】
登録がない場合、コンピュータ１００のＣＴＩ制御部１０６は、指定されたサイトがデータベース１０８に登録されていないことを、ＵＳＢドライバ１０５を介して、コードレス電話親機１１０に通知する（Ｓ４０３）。
【００４２】
コードレス電話親機１１０を介して未登録通知を受信した子機１２０のＣＴＩ制御部１２４は、ＬＣＤ表示部１２２にタイトル入力画面を表示するように指示し、未登録であることを知らせる（Ｓ４２３）。コードレス電話子機１２０のキー入力により、指定したサイトのタイトルを入力完了すると（Ｓ４２４）、ＣＴＩ制御部１２４は、無線部１２１を介して、コードレス電話親機１１０にタイトル情報を通知し、コードレス電話親機１１０のＣＴＩ制御部１１３は、ＵＳＢドライバ１１２を介して、コンピュータ１００にタイトル情報を送信する（Ｓ４１４）。
【００４３】
タイトル情報を受信したコンピュータ１００のＣＴＩ制御部１０６は、データベース１０８にタイトルとアドレスを１対１に登録する（Ｓ４０４）。
【００４４】
図５は、コードレス電話子機１２０のＬＣＤ表示部１２２にリストアップされたサイトから選択してＷｅｂ情報を取得する処理を示すフローチャートである。
【００４５】
コードレス電話子機１２０のキー操作において、ＣＴＩ制御部１２４が、Ｗｅｂ情報取得を意味するキー操作であることを確認すると（Ｓ５２１）、無線部３２１を介して、コードレス電話親機１１０に通知する。
【００４６】
この通知を受けた親機１１０のＣＴＩ制御部１１３は、ＵＳＢドライバ１１２を介して、コンピュータ１００にＷｅｂ情報取得要求を送信する（Ｓ５１１）。
【００４７】
この要求を受信したコンピュータ１００のＣＴＩ制御部１０６は、データベース１０８をチェックし（Ｓ５０１）、１つも登録がない場合、ＵＳＢドライバ１０５を介して、未登録通知をコードレス電話親機１１０に送信する（Ｓ５０２）。
【００４８】
コードレス電話親機１１０を介して未登録通知を受信したコードレス電話子機１２０のＣＴＩ制御部１２４は、ＬＣＤ表示部１２２にアドレス入力画面を表示するように指示し、キー操作でアドレスを入力してからＷｅｂ情報を取得するように促す（Ｓ５２２）。
【００４９】
データベース１０８内に１つ以上登録情報がある場合、コンピュータ１００のＣＴＩ制御部１０６は、データベース１０８に登録されたすべてのサイトのタイトルデータを、ＵＳＢドライバ１０５を介して、コードレス電話親機１１０に送信する（Ｓ５０３）。
【００５０】
コードレス電話親機１１０を介してタイトルデータを受信したコードレス電話子機１２０のＣＴＩ制御部１２４は、記憶部１２５にすべてのタイトルデータを保存し、ＬＣＤ表示部１２２にタイトルをリスト表示するように指示する（Ｓ５２３）。コードレス電話子機１２０のキー入力により、リスト表示されたタイトルから１つを選択すると（Ｓ５２４）、ＣＴＩ制御部１２４は、無線部１２１を介して、コードレス電話親機１１０にタイトル情報を通知する。
【００５１】
この通知を受けたコードレス電話親機１１０のＣＴＩ制御部１１３は、ＵＳＢドライバ１１２を介して、コンピュータ１００にタイトル情報を送信する（Ｓ５１４）。
【００５２】
タイトル情報を受信したコンピュータ１００のＣＴＩ制御部１０６は、データベース１０８に登録された、指定されたタイトルと１対１に対応したアドレスをＷＷＷブラウザ１０１に通知し、指定ウェブサイトにアクセスするとともに、文字／音声情報をコードレス電話子機１２０へ送信する（Ｓ５０４）。
【００５３】
以上のように本実施の形態によれば、コンピュータ１００はＷｅｂアドレスを格納するＷｅｂアドレスデータベース１０８を備え、コードレス電話子機１２０はＷｅｂアドレスのリストを保存する記憶部１２５を備え、コンピュータ１００は、コードレス電話子機１２０からＷｅｂアドレスデータベース１０８にあるＷｅｂアドレス一覧の要求があったとき、コードレス電話親機１１０を介してコードレス電話子機１２０に出力し、コードレス電話子機１２０はＬＣＤ表示部１２２にＷｅｂアドレス一覧を表示することにより、ユーザ自身が以前に閲覧、登録したサイトのＷｅｂ情報だけでなく、他者がパソコンや他のコードレス電話子機で閲覧、登録したサイトのＷｅｂ情報も簡単に文字や音声で取得することができる。
【００５４】
（実施の形態３）
図６は、本発明の実施の形態３によるコードレス電話ＣＴＩシステムを示すブロック図である。
【００５５】
図６において、コンピュータ１００、コードレス電話親機１１０、コードレス電話子機１２０、ＷＷＷブラウザ１０１、文字情報検出部１０２、テキスト−音声変換部１０３、記憶部１０４、ＣＴＩ制御部１０６、ネットワークカード１０７、無線部１１１、ＣＴＩ制御部１１３、無線部１２１、ＬＣＤ表示部１２２、スピーカ１２３、ＣＴＩ制御部１２４は図１と同様のものなので、同一符号を付し、説明は省略する。１０９は無線カード１３０との通信を司る無線カードドライバ、１３１はコンピュータ１００との通信を司るインタフェース部、１３２はコードレス電話子機１２０の無線部１２２と同じ機能を有する無線部、１３３はインタフェース部１３１、無線部１３２の制御を行う中央制御部である。このように本実施の形態は、実施の形態１の構成において、コンピュータ１００と親機１１０からＵＳＢドライバを除去し、コンピュータ１００内に、無線ドライバカード１０９を設け、コンピュータ１００に挿入する無線カード１３０を追加した構成となっている。
【００５６】
上記のように構成されたコードレス電話ＣＴＩシステムについて、その動作を図７を用いて説明する。図７は、コードレス電話子機１２０からＷｅｂ情報を閲覧する処理を示すフローチャートである。
【００５７】
コードレス電話子機１２０のキー操作によりＷｅｂアドレスが指定されて発信されると（Ｓ７２１）、無線部１２１、１１１を介してコードレス電話親機１１０に通知される。
【００５８】
この通知を受けたコードレス電話親機１１０のＣＴＩ制御部１１３は、子機として登録されている無線カード１３０の内線番号をコードレス電話子機１２０に通知する（Ｓ７１１）。
【００５９】
コードレス電話子機１２０のＣＴＩ制御部１２４は、無線カード１３０との子機間無線リンクを確立するように無線部１２１に指示して、無線部１２１を介して、無線カード１３０に無線リンク確立要求を送信する（Ｓ７２２）。
【００６０】
無線リンク確立要求を受信した無線カード１３０の中央制御部１３３は、無線部１３２を介して、無線リンク確立要求応答をコードレス電話子機１２０に送信し（Ｓ７０１）、子機間無線リンクを確立する（Ｓ７２３、７０２）。
【００６１】
子機間無線リンクが確立されると、コードレス電話子機１２０のＣＴＩ制御部１２４は、コードレス電話親機１１０との無線リンクを切断して、コンピュータ１００に対しＷｅｂ発信要求を送信する（Ｓ７２４）。無線カード１３０の中央制御部１３３は、無線リンクが確立されている間、コードレス電話子機１２０とコンピュータ１００とのデータ通信は透過とする。Ｗｅｂ発信要求を受信したコンピュータ１００のＣＴＩ制御部１０６は、ＷＷＷブラウザ１０１に対し指定のサイトへアクセスさせる（Ｓ７０３）。ネットワークカード１０７を介して受信するＷｅｂ情報から文字情報検出部１０２がテキストデータを検出し、そのデータをテキスト−音声変換部１０３が音声データに変換して記憶部１０４にて保存するするとともに（Ｓ７０４）、無線カードドライバ１０９、無線カード１３０を介してコードレス電話子機１２０へテキストデータを送信する（Ｓ７０５）。
【００６２】
それを受信したコードレス電話子機１２０は、ＬＣＤ表示部１２２によりテキストデータをＬＣＤ画面に表示する（Ｓ７２５）。テキストデータの受信が完了した後にキー操作があった場合、ＣＴＩ制御部１２４は、そのキー操作が音声データ取得要求であることを確認すると（Ｓ７２６）、無線部１２１、無線カード１３０を介して、音声データ取得要求をコンピュータ１００に送信し、その応答を受信すると、子機間の通話パスを確立する（Ｓ７２７）。
【００６３】
音声データ取得要求を受信したコンピュータ１００のＣＴＩ制御部１０６は、音声データ取得要求応答を、無線カードドライバ１０９を介して、無線カード１３０へ送信する（Ｓ７０６）。音声データ取得要求応答を受信した無線カード１３０の中央制御部１３３は、無線部１３２を介して、その応答をコードレス電話子機１２０に送信するとともに、子機間の通話パスを確立し、インタフェース部１３１を介して、通話パス確立確認をコンピュータ１００へ送信する（Ｓ７０７）。通話パス確立確認を受信したコンピュータ１００のＣＴＩ制御部１０６は、記憶部１０４に格納してある音声データを、無線カードドライバ１０９を介して、無線カード１３０に送出する（Ｓ７０８）。無線カード１３０の中央制御部１３３は、インタフェース部１３１上の音声データを通話パス上にのせ、コードレス電話子機１２０へ送信する。
【００６４】
音声データを受信したコードレス電話子機１２０のＣＴＩ制御部１２４は、スピーカ１２３において音声として再生させる（Ｓ７２８）。
【００６５】
以上のように本実施の形態によれば、コンピュータ１００と無線カード１３０とコードレス電話親機１１０とコードレス電話子機１２０とを有するコードレス電話ＣＴＩシステムであって、コンピュータ１００は、ＷＷＷブラウザ１０１が受信するデータからテキストデータのみを取り出す文字情報検出部１０２と、テキストデータを音声データに変換するテキスト−音声変換部１０３と、音声データを保存する記憶部１０４と、無線カードとの通信を司る無線カードドライバ１０９と、ＷＷＷブラウザ１０１、文字情報検出部１０２、テキスト−音声変換部１０３、記憶部１０４、無線カードドライバ１０９の制御を行うＣＴＩ制御部１０６とを有し、コードレス電話親機１１０は、コードレス電話子機１２０および無線カード１３０との通信を司る無線部１１１と、無線部１１１の制御を行うＣＴＩ制御部１１３とを有し、コードレス電話子機１２０は、コードレス電話親機１１０との通信を司る無線部１２１と、ＬＣＤ表示部１２２と、スピーカ１２３と、無線部１２１、ＬＣＤ表示部１２２、スピーカ１２３の制御を行うＣＴＩ制御部１２４とを有し、無線カード１３０は、コンピュータ１００との通信を司るインタフェース部１３１と、コードレス電話親機１２０との通信を司る無線部１３２と、インタフェース部１３１、無線部１３２の制御を行う中央制御部１３３とを有することにより、コードレス電話子機１２０とコンピュータ１００とをワイヤレスに接続して、コードレス電話親機１１０を介さずに、コードレス電話子機１２０からのＷｅｂ情報の閲覧を行うことができるので、コンピュータ１００がモバイルコンピュータとして動作するなど、コンピュータ１００とコードレス電話親機１１０との有線接続が困難である場合にも、無線カード１３０をコンピュータに装着することによりＣＴＩ機能を容易に実現することができる。
【００６６】
【発明の効果】
以上説明したように本発明の請求項１に記載のコードレス電話ＣＴＩシステムによれば、コンピュータとコードレス電話親機とコードレス電話子機とを有するコードレス電話ＣＴＩシステムであって、コンピュータは、ＷＷＷブラウザが受信するデータからテキストデータのみを取り出す文字情報検出部と、テキストデータを音声データに変換するテキスト−音声変換部と、音声データを保存する記憶部と、コードレス電話親機との通信を司るＵＳＢドライバと、ＷＷＷブラウザ、文字情報検出部、テキスト−音声変換部、記憶部、ＵＳＢドライバの制御を行うＣＴＩ制御部とを有し、コードレス電話親機は、コンピュータとの通信を司るＵＳＢドライバと、コードレス電話子機との通信を司る無線部と、ＵＳＢドライバ、無線部の制御を行うＣＴＩ制御部とを有し、コードレス電話子機は、コードレス電話親機との通信を司る無線部と、ＬＣＤ表示部と、スピーカと、無線部、ＬＣＤ表示部、スピーカの制御を行うＣＴＩ制御部とを有し、コンピュータは、コードレス電話子機からＷＷＷブラウザをアクセスしたとき、ネットワークから受信したＷｅｂ情報のうちのテキストデータのみをコードレス電話子機に出力し、コードレス電話子機は出力したテキストデータをＬＣＤ表示部に表示することにより、コードレス電話子機からコンピュータのＷＷＷブラウザをアクセスさえすれば、コードレス電話子機は必要なＷｅｂ情報のテキストデータを得て表示部に表示することができるので、コードレス電話子機からの操作だけでより多くのサイトのＷｅｂ情報を閲覧することができるという有利な効果が得られる。
【００６７】
請求項２に記載のコードレス電話ＣＴＩシステムによれば、請求項１に記載のコードレス電話ＣＴＩシステムにおいて、コンピュータは、コードレス電話子機からテキストデータから変換された音声データの要求があったとき、要求があった音声データをコードレス電話子機に出力し、コードレス電話子機は出力した音声データをスピーカから送出することにより、テキストデータから変換された音声データをコードレス電話子機から要求さえすれば、コードレス電話子機は必要なＷｅｂ情報の音声データを得ることができるので、画面では見にくいテキストデータの場合には音声データとしてスピーカから聞くことができるので、コードレス電話子機からの操作だけでより多くのサイトのＷｅｂ情報を聞くことができるという有利な効果が得られる。
【００６８】
請求項３に記載のコードレス電話ＣＴＩシステムによれば、請求項１に記載のコードレス電話ＣＴＩシステムにおいて、コンピュータはＷｅｂアドレスを格納するＷｅｂアドレスデータベースを備え、コードレス電話子機はＷｅｂアドレスのリストを保存する記憶部を備え、コンピュータは、コードレス電話子機からＷｅｂアドレスデータベースにあるＷｅｂアドレス一覧の要求があったとき、コードレス電話親機を介してコードレス電話子機に出力し、コードレス電話子機はＬＣＤ表示部にＷｅｂアドレス一覧を表示することにより、ユーザ自身が以前に閲覧、登録したサイトのＷｅｂ情報だけでなく、他者がパソコンや他のコードレス電話子機で閲覧、登録したサイトのＷｅｂ情報も簡単に文字や音声で取得することができるという有利な効果が得られる。
【００６９】
請求項４に記載のコードレス電話ＣＴＩシステムによれば、コンピュータと無線カードとコードレス電話親機とコードレス電話子機とを有するコードレス電話ＣＴＩシステムであって、コンピュータは、ＷＷＷブラウザが受信するデータからテキストデータのみを取り出す文字情報検出部と、テキストデータを音声データに変換するテキスト−音声変換部と、音声データを保存する記憶部と、無線カードとの通信を司る無線カードドライバと、ＷＷＷブラウザ、文字情報検出部、テキスト−音声変換部、記憶部、無線カードドライバの制御を行うＣＴＩ制御部とを有し、コードレス電話親機は、コードレス電話子機および無線カードとの通信を司る無線部と、無線部の制御を行うＣＴＩ制御部とを有し、コードレス電話子機は、コードレス電話親機との通信を司る無線部と、ＬＣＤ表示部と、スピーカと、無線部、ＬＣＤ表示部、スピーカの制御を行うＣＴＩ制御部とを有し、無線カードは、コンピュータとの通信を司るインタフェース部と、コードレス電話親機との通信を司る無線部と、インタフェース部、無線部の制御を行う中央制御部とを有することにより、コードレス電話子機とコンピュータとをワイヤレスに接続して、コードレス電話親機を介さずに、コードレス電話子機からのＷｅｂ情報の閲覧を行うことができるので、コンピュータがモバイルコンピュータとして動作するなど、コンピュータとコードレス電話親機との有線接続が困難である場合にも、無線カードをコンピュータに装着することによりＣＴＩ機能を容易に実現することができるという有利な効果が得られる。
【図面の簡単な説明】
【図１】本発明の実施の形態１によるコードレス電話ＣＴＩシステムを示すブロック図
【図２】コードレス電話子機からＷｅｂ情報を閲覧する処理を示すフローチャート
【図３】本発明の実施の形態２によるコードレス電話ＣＴＩシステムを示すブロック図
【図４】コードレス電話子機によるＷｅｂアドレスデータベース登録の処理を示すフローチャート
【図５】コードレス電話子機のＬＣＤ表示部にリストアップされたサイトから選択してＷｅｂ情報を取得する処理を示すフローチャート
【図６】本発明の実施の形態３によるコードレス電話ＣＴＩシステムを示すブロック図
【図７】コードレス電話子機からＷｅｂ情報を閲覧する処理を示すフローチャート
【図８】ＷＷＷブラウザ機能を有する従来のコードレス電話親機を示すブロック図
【符号の説明】
１００　コンピュータ
１０１　ＷＷＷブラウザ
１０２　文字情報検出部
１０３　テキスト−音声変換部
１０４　記憶部
１０５、１１２　ＵＳＢドライバ
１０６、１１３、１２４　ＣＴＩ制御部
１０７　ネットワークカード
１０８　Ｗｅｂアドレスデータベース（データベース）
１０９　無線カードドライバ
１１０　コードレス電話親機
１１１、１２１、１３２　無線部
１２０　コードレス電話子機
１２２　ＬＣＤ表示部
１２３　スピーカ
１３０　無線カード
１３１　インタフェース部
１３３　中央制御部
【図１】
2004056329.tif 000003
【図２】
2004056329.tif 000004
【図３】
2004056329.tif 000005
【図４】
2004056329.tif 000006
【図５】
2004056329.tif 000007
【図６】
2004056329.tif 000008
【図７】
2004056329.tif 000009
【図８】
2004056329.tif 000010